(57)【要約】【課題】  キーボード及びマウスの操作が不要で、パソコン操作に不慣れな操作者でもインターネット等の通信回線を介して多くの表示コンテンツを表示ボードに表示させ得ることができ、これをテレビのチャンネルを切替えるのと同様の感覚で各種コンテンツを選択し、表示切替を行うことができる表示ボードシステムを提供する。【解決手段】  通信回線に接続された情報端末と、該情報端末に接続されて各種のコンテンツ情報を表示する表示ボードとを備えた表示ボードシステムにおいて、当該表示ボードシステムはリモコンによる表示画面切替手段を含み、該表示画面切替手段は、リモコンの操作キーに基づく信号と、キーボードまたはマウスによる画面位置情報とが関連付けて記憶され、リモコン操作により前記関連付けられた画面位置情報の選択が為されることで所望の画面を表示することを特徴とする。【選択図】  図１
2006268863.tif 000002
【特許請求の範囲】
【請求項１】
通信回線に接続された表示ボードシステムにおいて、
予め任意のホームページアドレスを任意の種類別に区分して記憶するデータテーブルを有する記憶手段と、
前記任意の種類別に応じた表示フォーマットを表示画面形式で記憶する記憶手段と、
前記表示フォーマットに応じた表示画面形式と対応するスイッチ手段を持つ操作部と、を有し、
前記表示画面形式と対応するスイッチ手段の入力により、前記任意の種類別のうちの任意の区分が選択されて、当該区分にある前記任意のページアドレスの一覧若しくはウェブ情報が表示されることを特徴とする表示ボードシステム。
【請求項２】
前記請求項１記載の表示ボードシステムであって、
前記一覧表示されたページアドレスは、前記表示フォーマットに応じた表示画面形式と同様の表示画面形式であって、
前記スイッチ手段の入力により任意のウェブ情報にアクセスして当該ウェブ情報を表示することを特徴とする表示ボードシステム。
【請求項３】
通信回線に接続された情報端末と、該情報端末に接続されて各種のコンテンツ情報を表示する表示ボードとを備えた表示ボードシステムにおいて、
当該表示ボードシステムはリモコンによる表示画面切替手段を含み、
該表示画面切替手段は、リモコンの操作キーに基づく信号と、キーボードまたはマウスによる画面位置情報とが関連付けて記憶され、
リモコン操作により前記関連付けられた画面位置情報の選択が為されることで所望の画面を表示することを特徴とする表示ボードシステム。
【請求項４】
前記請求項３記載の表示ボードシステムであって、
予め任意に関連するコンテンツ情報を任意に分類して記憶されるコンテンツ登録メモリを備え、
前記リモコン操作が行われた場合に前記コンテンツ登録メモリを参照して、任意に登録されたコンテンツ一覧、または、該当するウェブ情報を表示することを特徴とする表示ボードシステム。
【発明の詳細な説明】
【技術分野】
【０００１】
本発明は、インターネットやイントラネット等の通信回線に接続され、各種の表示コンテンツを表示する表示ボードシステムに関し、特に任意に分類された表示コンテンツをリモコン等の操作により選択することにより所望の表示コンテンツを表示させる表示ボードシステムに関する技術である。
【背景技術】
【０００２】
図８に示すように、従来の情報表示システムでは、インターネットに接続しディスプレイ８１にコンテンツを表示し、コンテンツを切替えるために、端末（パソコン）８２に接続されているキーボード３及びマウス４を操作していた。この操作はディスプレイ８１の画面を見ながら行うため、キーボード３及びマウス４は、ディスプレイ１の近辺に配置しておく必要があった。また、端末（パソコン）の操作に慣れていない操作者は、キーボードやマウスの取扱い、動かし方などを憶えている必要が有った。
【０００３】
また一般的なテレビ受像機に関して、放送波の複数の放送画像を同時に画面上に分割表示する機能を有するテレビジョン受像機において受信画像の表示配列と操作面上の選局ボタンの配列位置を同じにした受信システムに関する公知文献（特許文献１）がある。
【０００４】
【特許文献１】実開平０５−６３１６３号公報
【発明の開示】
【発明が解決しようとする課題】
【０００５】
しかしながら、上記の図８に示した従来のシステムは、キーボード及びマウス操作が必要なことにより、パソコンの操作に不慣れな操作者には手間が掛かる、また、キーボードやマウスを配置する場所の確保が必要となり、店舗等に設置する大型の表示ボードのように来店者向けの表示端末の場合、その表示面より見える位置にキーボードやマウスを配置する必要があり、来店者向けの表示ボードには不向きであるという問題点があった。
また、上記特許文献１は、一般的なテレビ受像機が対象であって放送波しか選局することができず、インターネット等の通信回線を介さないため多くの表示コンテンツを得た上でのコンテンツの分類や細かな分類を加味した選択ができないため、表示ボードには不向きであるという問題点があった。
【０００６】
そこで本発明は、上記従来の問題点に鑑みて為されたもので、キーボード及びマウスの操作が不要で、パソコン操作に不慣れな操作者でもインターネット等の通信回線を介して多くの表示コンテンツを表示ボードに表示させ得ることができ、これをテレビのチャンネルを切替えるのと同様の感覚で各種コンテンツを選択し、表示切替を行うことができる表示ボードシステムを提供することを目的とする。
【課題を解決するための手段】
【０００７】
上記従来の問題点を解決するため請求項１記載の発明は、通信回線に接続された表示ボードシステムにおいて、予め任意のホームページアドレスを任意の種類別に区分して記憶するデータテーブルを有する記憶手段と、前記任意の種類別に応じた表示フォーマットを表示画面形式で記憶する記憶手段と、前記表示フォーマットに応じた表示画面形式と対応するスイッチ手段を持つ操作部と、を有し、前記表示画面形式と対応するスイッチ手段の入力により、前記任意の種類別のうちの任意の区分が選択されて、当該区分にある前記任意のページアドレスの一覧若しくはウェブ情報が表示されることを特徴とする。
【０００８】
上記従来の問題点を解決するため請求項２記載の発明は、前記請求項１記載の表示ボードシステムであって、前記一覧表示されたページアドレスは、前記表示フォーマットに応じた表示画面形式と同様の表示画面形式であって、前記スイッチ手段の入力により任意のウェブ情報にアクセスして当該ウェブ情報を表示することを特徴とする。
【０００９】
上記従来の問題点を解決するため請求項３記載の発明は、通信回線に接続された情報端末と、該情報端末に接続されて各種のコンテンツ情報を表示する表示ボードとを備えた表示ボードシステムにおいて、当該表示ボードシステムはリモコンによる表示画面切替手段を含み、該表示画面切替手段は、リモコンの操作キーに基づく信号と、キーボードまたはマウスによる画面位置情報とが関連付けて記憶され、リモコン操作により前記関連付けられた画面位置情報の選択が為されることで所望の画面を表示することを特徴とする。
【００１０】
上記従来の問題点を解決するため請求項４記載の発明は、前記請求項３記載の表示ボードシステムであって、予め任意に関連するコンテンツ情報を任意に分類して記憶されるコンテンツ登録メモリを備え、前記リモコン操作が行われた場合に前記コンテンツ登録メモリを参照して、任意に登録されたコンテンツ一覧、または、該当するウェブ情報を表示することを特徴とする。
【発明の効果】
【００１１】
本発明によれば、キーボード及びマウスの操作が不要で、パソコン操作に不慣れな操作者でもインターネット等の通信回線を介して多くの表示コンテンツを表示ボードに表示させ得ることができ、これをテレビのチャンネルを切替えるのと同様の感覚で各種コンテンツを選択し、表示切替を行うことができる表示ボードシステムを提供する。
【００１２】
また、本発明によれば、リモコンの操作キーによる信号と画面位置情報とを関連付けることで、リモコン操作のみでマウスの画面位置決めと同等の選択動作を行うことができ、さらに、予め任意に関連するコンテンツ情報を登録しておくことでコンテンツ情報を見易い分類として画面表示させることができ、そして、リモコン操作により所望のコンテンツ情報を表示させることができる表示ボードシステムを提供する。
【発明を実施するための最良の形態】
【００１３】
本発明の実施の形態について、図面を参照しながら説明する。
図２は、本発明の実施の形態である表示ボードシステムのシステム構成図である。インターネットやイントラネット等の通信回線に接続された端末２（パソコン）と、該端末２には、キーボード３と、マウス４と、リモコン受光部５を備え、また、表示ボード本体であるディスプレイ１（表示ボード本体）に接続される。さらにリモコン受光部は赤外線等による光データを送出するリモコン６が備えられ、リモコンのキー操作により表示ボードへの表示操作が為される。なお、リモコン受光部５は、端末２またはディスプレイ１の何れに備えられていても良い。
【００１４】
図１は、本発明の実施の形態である表示ボードシステムの端末に関するブロック構成図である。リモコンからの信号を受信するリモコン信号受信部１１と、このリモコン信号を解析する受信信号解析部１２と、キーボードやマウスを制御するマウス制御部１３と、リモコン信号とマウス制御とを関連付けたデータとして記憶するキー情報ファイル１０と、表示ボードのディスプレイ部と接続される表示制御部１５と、インターネットやイントラネット等の通信回線と接続されるＷＡＮ送受信部１４と、ディスプレイに表示されるデータを記憶したコンテンツ登録メモリ１６と、これら各部を制御する主制御部１７と、より構成される。詳細は後述する。
【００１５】
図４は、本発明の実施の形態であるリモコンのキー配列を示す図である。例えば本リモコンの場合、操作キーとしては「１」〜「９」及び「０」の選択チャンネルと、「メニュー」と、「電源」とが備えられており、何れかのキーを押下することで赤外線送光部より信号が送信され、図１のリモコン信号受信部に受信される。
【００１６】
図５は、本発明の実施の形態であるキー情報ファイルを示し、リモコンのキー操作による信号とマウスカーソル位置との対応を示すデータメモリである。リモコン６の操作により送信された赤外線信号をリモコン信号受信部１１が受信し、受信信号解析部１１がこの受信した信号をこのキー情報ファイルを参照することで受信信号の解析を行い、表示上におけるマウスのカーソル位置を特定して表示制御部１５に送出するものである。
【００１７】
図６は、本発明の実施の形態である表示ボードのディスプレイ上でのマウスカーソル位置を示す図である。この例では画面サイズを６４０ドット×４８０ドット（行×列）、とした場合に、画面を縦横各３等分し、計９つの画面分割としている。
ここで、図６中の画面▲１▼のアドレスは（１０６行、８０列）、画面▲２▼のアドレスは（３１８行、８０列）、…、画面▲９▼のアドレスは（５３０行、４００列）、というように各画面の番号に対応するアドレスが設定されており、これを図５に示すキー情報ファイルに記憶１０しておく。
【００１８】
この画面分割した数がリモコンのチャンネル（操作キーの「１」〜「９」）に合致し、リモコンの所望の操作キーを押下して所定の赤外線の信号データが送信され、リモコン信号受信部１１で受信するとキー情報ファイル１０を参照する。そして、受信信号解析部１２が押下された操作キー（に基づく信号）を解析してマウス制御部１３に対して操作キーの番号に対応したマウスカーソルポイントの位置で、マウスがクリックされるように出力する。
例えば、リモコンキー「１」が押下された場合、押下されたキー「１」に対応するポイント（１０６行、８０列）を、キー情報ファイル１０から取り出し、マウス制御部１３に対して、図６に示す画面▲１▼の位置でマウスのクリックが押されたことを認識させる。
【００１９】
なお、この例では画面サイズを６４０ドット×４８０ドット、画面を９分割しているが、リモコンのキーの数又は画面の分割したい数に応じて、図６に示すキー情報ファイルの内容を任意に決定することができる。また、押下されたキーが「電源」の場合、表示制御部１５を介して、ディスプレイの電源をＯＮまたはＯＦＦの信号を送信することで、ディスプレイの電源ＯＮ／ＯＦＦ操作がリモコンで可能となる。
【００２０】
図３は、本発明の実施の形態であるコンテンツ登録メモリのメモリテーブル図である。このメモリテーブルは、縦軸にページ「Ｐ１」「Ｐ２」「Ｐ３」…、横軸にチャンネル「▲１▼」〜「▲９▼」、をとり、ページ「Ｐ１」「Ｐ２」「Ｐ３」…は、１画面に表示されるチャンネル「▲１▼」〜「▲９▼」を１つのページとして表わしている。
例えば、ページ「Ｐ１：メニュー１」（行）、チャンネル「▲１▼」（列）、においては、図６の画面「▲１▼」に示す位置に、上段の「天気」という表示が為され、下段の「：Ｐ３」は選択された際のリンク先を示し、チャンネルの押下（によって選択が為されること）により何れかのページか若しくは指定されたウェブ情報（ＵＲＬ）が表示されることとなる。
【００２１】
図７は、本発明の実施の形態である表示コンテンツの切替動作を現す遷移図であり、図７（１）はチャンネル「▲１▼」を選択した場合の遷移図の例、図７（２）はチャンネル「▲５▼」を選択した場合の遷移図の例、である。
まず、端末２の電源をＯＮにし、キーボード３やマウス４を用いて所定の操作を行い、あらかじめ設定されている画面であるページ「Ｐ１」を表示する。即ち図７（１）の画面「Ｐ１」、若しくは図７（２）の画面「Ｐ１」に示すようなページ「Ｐ１」のチャンネル「▲１▼」〜「▲９▼」が９分割された表示画面に表示されるものである。
また、表示ボード（ディスプレイ）をＯＮすることにより表示ボードのディスプレイには当該画面「Ｐ１」が表示される。その後、表示の切替を行うにはキーボード３やマウス４の操作だけでなく、リモコンによる操作のみでも行うことができる。
【００２２】
次に例えば、図７（１）に示すように、画面「Ｐ１」においてチャンネル「▲１▼」をリモコンの操作により選択（押下）した場合、表示されている「天気」のリンク先としてページ「Ｐ３：天気１」の各チャンネル「▲１▼」〜「▲９▼」が１つの画面として表示される（画面「Ｐ３」）。この表示の状態では例えば次の（１）〜（３）に示すような画面遷移とすることができる。
（１）チャンネル「▲１▼」を選択すると、東京に関する天気情報であるウェブ情報（ＵＲＬ）をＷＡＮ送受信部１４を介して取得し、当該ＵＲＬを画面表示する（画面「東京の天気」）。チャンネル「▲２▼」〜「▲５▼」、「▲７▼」においても同様の動作状態となり、各地の天気に関するＵＲＬを画面表示させる。
（２）チャンネル「▲６▼」を選択すると、リンク先として画面「Ｐ３０」が表示される。次に例えばチャンネル「▲２▼」を選択すると東北北陸地方の天気情報に関するＵＲＬが表示され、例えばチャンネル「▲８▼」を選択するとページ「Ｐ３３」の各チャンネル「▲１▼」〜「▲９▼」が１つの画面として表示される（画面「Ｐ３３」）。
（３）チャンネル「▲９▼」を選択すると、リンク先として画面「Ｐ１」が表示される。即ち、初期画面であるメニュー画面「Ｐ１」に戻る。
【００２３】
また例えば、図７（２）に示すように、画面「Ｐ１」においてチャンネル「▲５▼」をリモコンの操作により選択（押下）した場合、表示されている「コンサート」のリンク先として画面「Ｐ７」が表示される。さらに、チャンネル「▲７▼」を選択すると、コンサート情報である「ＦＦＦ」に関するＵＲＬをＷＡＮ送受信部１４を介して取得し、当該ＵＲＬを画面表示する。
また、メニュー画面（画面「Ｐ１」）にて「９」キーを押下した場合には、次ページのメニュー画面である「Ｐ２」（図３のページ「Ｐ２」の各チャンネル「▲１▼」〜「▲９▼」）を表示する。さらにこのメニュー画面「Ｐ２」を表示している状態で「９」キーを押下した場合には、画面「Ｐ１」のメニュー画面に戻ることとなる。
【００２４】
なお、現在表示されている画面が何に関する画面であるかを示すには、図３のページの下段の文字をポップアップ表示若しくは、ウィンドウ表示等により行うことができる。これは例えばリモコンの操作キー「０」による信号を現在のページに関するタイトル表示に割当てておくことで、リモコンの操作のみで可能となる。例えば画面「Ｐ７」（即ちページ「Ｐ７：コンサート」）の表示状態で、タイトル表示のキーである「０」を押下すると、画面「Ｐ７」の表示に、タイトル「コンサート」が表示されていることを示す表示が為される。
【００２５】
また、画面分割されていない状態（例えば図７（２）の画面「Ｐ７のＵＲＬ「ＦＦＦ」」）においては、リモコンの「メニュー」キーを押下することで、先頭画面である画面「Ｐ１」に戻るようにしておくことで、複数のメニュー画面の切替が可能となる。
このように９分割に表示されている画面上に相当するリモコンのキーを押下することで、予め登録されたリンク先である表示画面、或いはインターネットを介してウェブ情報（ＵＲＬ）を取得して表示させることができるものとなる。
【００２６】
上述したように本発明においては、リモコンの操作キーとマウスによる画面位置情報を関連付けることで、リモコン操作のみでマウスの位置決めとクリックによる選択を行うことができ、さらに、予め任意に関連するコンテンツ情報を登録しておくことでコンテンツ情報を見易い分類として画面表示させることができ、そして、リモコン操作により所望のコンテンツ情報を表示させることができる。
【００２７】
特に、銀行や証券会社の各店舗等、顧客向けに大型の表示ボードを設置するような場合、そのディスプレイ１だけを顧客が見易い位置に設置し、ディスプレイに接続される端末（パソコン）２、キーボード３、マウス４、については顧客から見えない位置に設置することで整然とした店舗の印象を与えることができる。
【００２８】
また、インターネットだけでなく、銀行や証券会社のイントラネットとの接続も為されることにより、当銀行や当証券会社の独自のコンテンツを表示させることができ、コマーシャル効果を有する表示画面とすることができる。
【００２９】
従って、本発明による表示ボードシステムは、インターネットやイントラネットを含む広域網（ＷＡＮ）の通信回線を介して、端末（パソコン）及び大型表示装置（プラズマディスプレイ等）が接続され、大型表示装置の画面操作をリモコン操作により簡易に表示切替を行うことのできる情報表示装置に適している。
【図面の簡単な説明】
【００３０】
【図１】本発明の実施の形態である表示ボードシステムの端末に関するブロック構成図である。
【図２】本発明の実施の形態である表示ボードシステムのシステム構成図である。
【図３】本発明の実施の形態であるコンテンツ登録メモリのメモリテーブル図である。
【図４】本発明の実施の形態であるリモコンのキー配列を示す図である。
【図５】本発明の実施の形態であるキー情報ファイルを示す図である。
【図６】本発明の実施の形態である表示ボードのディスプレイ上でのマウスカーソル位置を示す図である。
【図７】本発明の実施の形態である表示コンテンツの切替動作を現す遷移図であり、（１）はチャンネル「▲１▼」を選択した場合の遷移図の例、（２）はチャンネル「▲５▼」を選択した場合の遷移図の例、である。
【図８】従来の情報表示システムのシステム構成図である。
【符号の説明】
【００３１】
１、８１…ディスプレイ（表示ボード本体）、  ２、８２…端末（パソコン）、  ３…キーボード、  ４…マウス、  ５…リモコン受光部、  ６…リモコン、  １０…キー情報ファイル、  １２…受信信号解析部、  １３…マウス制御部、  １４…ＷＡＮ送受信部、  １５…表示制御部、  １６…コンテンツ登録メモリ、  １７…主制御部
【図１】
2006268863.tif 000003
【図２】
2006268863.tif 000004
【図３】
2006268863.tif 000005
【図４】
2006268863.tif 000006
【図５】
2006268863.tif 000007
【図６】
2006268863.tif 000008
【図７】
2006268863.tif 000009
【図８】
2006268863.tif 000010